(57)【要約】【課題】仮支持させたアタッチメントを周囲から容易に視認することができ、かつ、アタッチメントを安定に仮支持できるアタッチメント仮支持クリートを提供する。【解決手段】取付板１の前面に、アタッチメントを仮支持するための仮支持部材３を設ける一方、取付板１の背面上部には、高圧開閉器を支持するＰＣ支持アームに掛止させるための掛止部材６を設け、取付板１の背面下部には、絶縁作業棒に接続するための接続部材８を下部に有するネジ棒９を螺合させる座板１０を設け、その取付板１を透視可能な絶縁性素材で形成し、かつ、仮支持部材３を弾発性を有する絶縁性素材で形成し、アタッチメント２を弾発力の作用で着脱自在な挟持状態に仮支持する。【選択図】  図１
2006318720.tif 000002
【特許請求の範囲】
【請求項１】
取付板（１）の前面に、アタッチメント（２）を仮支持するための仮支持部材（３）を設ける一方、前記取付板（１）の背面上部には、高圧カットアウト（４）を支持するアーム（５）に掛止させるための掛止部材（６）を設け、前記取付板（１）の背面下部には、絶縁作業棒（７）に接続するための接続部材（８）を下部に有するネジ棒（９）を螺合させる座板（１０）を設けたアタッチメント仮支持クリートであって、
前記取付板（１）が、透視可能な絶縁性素材からなり、かつ、前記仮支持部材（３）が、弾発性を有する絶縁性素材からなり、前記アタッチメント（２）を弾発力によって着脱自在な挟持状態に仮支持することを特徴とするアタッチメント仮支持クリート。
【請求項２】
前記ネジ棒（９）の先端に設けられる抜け止め部材（１１）と前記座板（１０）の間に、スプリングワッシャ（１２）を介装したことを特徴とする請求項１に記載のアタッチメント仮支持クリート。
【請求項３】
前記取付板（１）の下部両側に、ケーブル支持ロープ（１３）を取り付けるための取付孔（１４）を形成したことを特徴とする請求項１又は２に記載のアタッチメント仮支持クリート。
【請求項４】
前記仮支持部材（３）の下方に、前記アタッチメント（２）の中間部を嵌め込むための凹部（１５）を有する位置決め部材（１６）を設けたことを特徴とする請求項１乃至３の何れかに記載のアタッチメント仮支持クリート。
【発明の詳細な説明】
【技術分野】
【０００１】
本発明は、事故点探査時に高圧カットアウト（三相３線式高圧開閉器）に接続するためのアタッチメントを高圧カットアウトの支持アームに仮支持させるための支持部材（アタッチメント仮支持クリート）の改良に関する。
【背景技術】
【０００２】
配電柱に設けられた変圧器に接続される開閉式の高圧カットアウトは、配電柱に取り付けられたＰＣ支持アーム（腕金）の先端に支持されており、その高圧カットアウトに内蔵されているヒューズの取り替え作業や高圧配電線停電原因探査のための事故点探査装置取付作業は、蓋体が開放された状態下で行われる。
【０００３】
事故点探査時には、絶縁作業棒によって高圧カットアウトの蓋体を開く一方、高圧カットアウトに接続するためのアタッチメント（３本）をアタッチメント仮支持クリートにセットして、絶縁作業棒を用いてそのアタッチメント仮支持クリートをＰＣ支持アームの中間部に引っ掛けてから、逐次、絶縁作業棒でアタッチメントを１本ずつ取り出して各高圧カットアウトに差し込み接続する作業が行われる。
【０００４】
そのアタッチメント仮支持クリートは、従来、例えば、図６（ａ）（ｂ）に示すように、アルミ合金材等からなる取付板３１の前面上部に、アタッチメントの上部を引っ掛けるための凹部３２を設け、その直下の位置に、アタッチメントの中間部を嵌め込むための略Ｕの字状に形成された受け部材３３を設ける一方、取付板３１の背面上部には、ＰＣ支持アームに掛止させるための方形枠状に形成された掛止部材３４を設け、取付板３１の背面下部には、絶縁作業棒に接続するための接続部材３５を下部に有するネジ棒３６を螺合させる座板３７を設けていた。また、その取付板３１の下部片側には、ケーブル支持ロープの取付孔３８が形成されていた。
【０００５】
図７は、３つの高圧カットアウト４の蓋体４ａが全て開かれて、３本のアタッチメント２を仮支持させたアタッチメント仮支持クリートＢをＰＣ支持アーム５に掛止させた後、その内の１本のアタッチメント２を絶縁作業棒７でアタッチメント仮支持クリートＢから取り外して一つの高圧カットアウト４の本体に接続している状態を示す。この状態では、ケーブル支持ロープ１３の先端に取り付けたフック１３ａを取付板３１の下部片側に形成した取付孔３８に引っ掛けてケーブル（荷電ケーブル）２ａを支持させている。なお、４５は変圧器を示す。ちなみに、配電柱の腕金に容易に取り付けることができる支持金物が提案されている（例えば、特許文献１参照）。
【０００６】
【特許文献１】実開平６−２４３３３号公報
【発明の開示】
【発明が解決しようとする課題】
【０００７】
上記従来のアタッチメント仮支持クリートＢでは、以下のような難点があった。まず、取付板３１がアルミ合金製であるため、その背面側からの視認性がよくないという問題があった。上述のような絶縁作業棒７を用いたアタッチメント２の接続作業はいわゆる柱上作業となるため、作業者は、狭い足場上で半ば移動が制限された状態となる。従って、作業者が、アタッチメント２の仮支持状態を視認しにくい足場条件下での作業を強いられることもある。
【０００８】
例えば、ＰＣ支持アーム５に掛止させたアタッチメント仮支持クリートＢを背面下方から見る位置では、取付板３１が不透明であるため、アタッチメント２の仮支持状態を充分に視認できないことがあった。そのため、足場の位置を変更しなければならないこともあったが、足場の位置を変更するのは容易でないことが多く、変更できないこともあった。そのような場合には、アタッチメント２の接続作業の作業性が著しく低下するだけでなく、安全性が危惧されることもあった。
【０００９】
また、仮支持されているアタッチメント２が、ふとしたはずみに何らかの外力を受けてアタッチメント仮支持クリートＢから外れることもあった。これは、従来のアタッチメント仮支持クリートＢの仮支持状態が充分に安定でないことに起因する。つまり、アタッチメント２は、凹部３２と受け部材３３に嵌め込まれているだけであり、不用意に外力が作用すると、抜け落ちてしまうという問題があった。作業中にアタッチメント２が脱落すると、予期せぬ災害の発生も懸念される。
【００１０】
そして、ＰＣ支持アーム５にアタッチメント仮支持クリートＢを掛止させる際に、接続部材３５に接続した絶縁作業棒７を操作した時に座板３７が回動してその位置が決まらず、なかなか掛止させることができないことがあった。これは、ネジ棒３６を座板３７に螺合させているだけであるため、ネジ棒３６に接続した絶縁作業棒７を回動操作しても座板３７が連れ回りしてしまいネジ棒３６を座板３７に確実に締結できないからである。
【００１１】
さらに、ケーブル支持ロープ１３の先端に取り付けたフック１３ａを引っ掛けるための取付孔３８を取付板３１の下部片側にしか形成していないため、足場条件によっては、ケーブル支持ロープ１３が邪魔になり、作業者の柱上移動が妨げられることがあった。柱上で行われる間接活線作業では、作業者が、高圧が荷電されているケーブル２ａからできるだけ離れて移動できるような体勢が望ましいのは言うまでもない。
【００１２】
本発明は、このような実情に鑑みてなされ、仮支持させたアタッチメントを周囲から容易に視認することができ、かつ、アタッチメントを安定に仮支持できるアタッチメント仮支持クリートを提供することを目的とする。
【００１３】
また、アタッチメント仮支持クリートを絶縁作業棒に容易に固定できるようにすることをも目的とする。さらに、作業者がケーブルの支持位置を選択できるようにすることをも目的とする。
【課題を解決するための手段】
【００１４】
（１）本発明のアタッチメント仮支持クリートは、取付板１の前面に、アタッチメント２を仮支持するための仮支持部材３を設ける一方、前記取付板１の背面上部には、高圧カットアウト４を支持するアーム５に掛止させるための掛止部材６を設け、前記取付板１の背面下部には、絶縁作業棒７に接続するための接続部材８を下部に有するネジ棒９を螺合させる座板１０を設けたアタッチメント仮支持クリートであって、
前記取付板１が、透視可能な絶縁性素材からなり、かつ、前記仮支持部材３が、弾発性を有する絶縁性素材からなり前記アタッチメント２を弾発力によって着脱自在な挟持状態に仮支持することを特徴とする。
【００１５】
このような構成によれば、取付板１が透視可能な絶縁性素材で形成されているため、周囲からアタッチメント２の仮支持状態を明確に視認することができる。また、弾発性を有する絶縁性素材からなる仮支持部材３によって、アタッチメント２を弾発力で着脱自在な挟持状態に仮支持するため、アタッチメント２を脱落させることなく安定な状態に保持することができる。
【００１６】
（２）前記ネジ棒９の先端に設けられる抜け止め部材１１と前記座板１０の間には、スプリングワッシャ１２を介装するのが好ましい。このようにすれば、絶縁作業棒をネジ棒９の螺退方向（右ネジの場合は左回り）に回動させると、スプリングワッシャ１２が座板１０と抜け止め部材１１の間に挟み付けられるため、ネジ棒９を座板１０に確実に固定することができる。
【００１７】
（３）前記取付板１の下部両側に、ケーブル支持ロープ１３を取り付けるための取付孔１４を形成してもよい。このようにすれば、その時の足場条件により、作業者から離れた位置にケーブル２ａを支持できるように取付孔１４を選択することができる。これにより、柱上での作業者の移動が容易となり柱上作業の安全性が向上する。
【００１８】
（４）前記取付板１には、前記アタッチメント２の中間部を嵌め込むための凹部１５を有する位置決め部材１６を設けてもよい。このようにすれば、アタッチメント２の中間部を凹部１５に嵌め込むことで、アタッチメント２の仮支持状態がより一層安定化する。なお、この位置決め部材１６も透視可能な素材で形成されることが好ましい。
【発明の効果】
【００１９】
本発明のアタッチメント仮支持クリートは、取付板が透視可能な絶縁性素材で形成されているので、周囲からアタッチメントの仮支持状態を明確に視認することができる。これにより、事故点探査作業におけるアタッチメントの取り扱いが容易かつ確実なものとなる。また、弾発性を有する絶縁性素材からなる仮支持部材によってアタッチメントを弾発力を作用させて着脱自在な挟持状態に仮支持するので、アタッチメントを脱落させることなく安定な状態で仮支持させることができ、事故点探査作業における安全性が向上する。
【発明を実施するための最良の形態】
【００２０】
以下に、本発明の実施の形態に係るアタッチメント仮支持クリートについて図面を参照しつつ詳細に説明する。
図１乃至図３はアタッチメント仮支持クリートＡを示し、図４はアタッチメントを仮支持させた状態を示す。これらの図に示すように、取付板１は、例えば、ポリカーボネート等の透視可能な絶縁性素材からなり、その取付板１の前面には、アタッチメント２（図４参照）を仮支持するための仮支持部材３が設けられている。その仮支持部材３は、例えば、ゴム体等の弾発性を有する絶縁性素材からなり、アタッチメント２を弾発力の作用で着脱自在な挟持状態で仮支持することができる。
【００２１】
仮支持部材３は、略Ｕ字状に形成された金属材又は硬質樹脂材等からなる取付部材１７を介して取付板１に取り付けられている。即ち、帯状に形成された仮支持部材３の本体の両側に形成された長孔３ａ，３ａが取付部材１７のＵ字端に設けてある支持ピン１７ａ，１７ａに嵌め込まれて、自由状態では、図１及び図３に示すように、若干内方に湾曲した状態で前方の位置に張り出しており、その前面にアタッチメント２を押し当てて押し込むと、図４に示すように、仮支持部材３は内方に湾曲して弾発力によってアタッチメント２を両側から巻き込んで安定に挟持する。
【００２２】
この状態では、弾発力の作用でアタッチメント２が両側から挟持されるため、安定な仮保持状態が維持される。この状態から、作業者が、アタッチメント２の下部に絶縁作業棒７を接続して引き抜き方向に外力を作用させると、容易にアタッチメント仮支持クリートＡから引き抜くことができるが、それ以外に、たとえアタッチメント２に不用意に外力が作用するようなことがあっても、容易に外れることはない。なお、取付部材１７は、不透明な素材で形成されてもよく、ビス止め、接着等によって取付板１の前面に固定されている。
【００２３】
そして、この仮支持部材３の直下の位置には、アタッチメント２の中間部を嵌め込むための凹部１５を有する位置決め部材１６が設けられている。この位置決め部材１６は、取付板１と同じ透視可能な素材で形成され、ビス止め等によって取付板１に固定される。従って、アタッチメント２を仮支持部材３に押し込む時に、この位置決め部材１６の凹部１５に、アタッチメント２の中間部を嵌め込むことで、アタッチメント２の仮支持状態がより一層安定化する。
【００２４】
取付板１の背面上部には、高圧カットアウト４（図５参照）を支持するＰＣ支持アーム（本発明のアーム）５に掛止させるための掛止部材６が設けられている。その掛止部材６は金属材からなる矩形枠状に形成され、その先端下部には、下方に向けて段状に形成される掛止部６ａが形成され、この掛止部６ａをＰＣ支持アーム５の角部に掛止させることで、安定な状態にアタッチメント仮支持クリートＡを保持させることができる。また、取付板１の背面下部には、絶縁作業棒７（図５参照）の先端に接続するための接続部材８を下部に有するネジ棒９を螺合させる座板１０が設けられている。本実施の形態では、座板１０は掛止部材６と一体に形成されて、ビス止め等により取付板１に固定されるが、これに限らず、座板１０は掛止部材６と別体に形成されてもよい。
【００２５】
そのネジ棒９の上端には、鍔状の抜け止め部材１１が設けられ、この抜け止め部材１１と座板１０の間には、スプリングワッシャ１２が介装されている。これにより、接続部材８を介して絶縁作業棒７をネジ棒９の接続して、そのネジ棒９を螺退方向（右ネジの場合は左回り）に回動させると、スプリングワッシャ１２が座板１０と抜け止め部材１１の間に挟み付けられるため、ネジ棒９を座板１０に確実に固定することができる。これにより、アーム５に対してアタッチメント仮支持クリートＡを掛止させるための柱上作業の能率が向上する。
【００２６】
また、取付板１の下部両側に、ケーブル支持ロープ１３を取り付けるための取付孔１４，１４を形成している。従って、その時の足場条件により、アタッチメント２からのケーブル２ａを、作業者からできるだけ離れた位置に支持させるように、どちらかの取付孔１４，１４を選択することができる。これにより、柱上での作業者の移動が容易となり柱上作業の安全性が向上する。
【００２７】
図５は、３つの高圧カットアウト４の蓋体４ａを全て開いて、３本のアタッチメント２を仮支持させたアタッチメント仮支持クリートＡをＰＣ支持アーム５に掛止させた後、その内の１本のアタッチメント２（図示左端）に絶縁作業棒７を接続してアタッチメント仮支持クリートＡから取り外し、そのアタッチメント２を一つの高圧カットアウト４（図示左端）の本体に接続している状態を示す。この状態では、ケーブル支持ロープ１３の先端に取り付けたフック１３ａを取付板３１の下部片側に形成した左側の取付孔１４に引っ掛けてケーブル（荷電ケーブル）２ａを支持させている。なお、図示では、左側の取付孔１４にフック１３ａを引っ掛けているが、足場条件によっては、右側の取付孔に引っ掛ければよい。なお、図５では、右側の取付孔は、アタッチメント２に隠れている。
【００２８】
本発明は、実施の形態に限定されることなく、発明の要旨を逸脱しない限りにおいて、適宜、必要に応じて、設計変更や改良等を行うのは自由であり、例えば、位置決め部材１６を省いて、仮支持部材３を上下２段に設けてもよく、上下２段に設けた仮支持部材３，３の間に、位置決め部材１６を設けてもよい。
【図面の簡単な説明】
【００２９】
【図１】本発明のアタッチメント仮支持クリートの正面相当図である。
【図２】同アタッチメント仮支持クリートを側面相当図である。
【図３】同アタッチメント仮支持クリートの平面図である。
【図４】同アタッチメントを仮保持させた状態の正面相当図である。
【図５】同アタッチメントの接続作業の説明図である。
【図６】従来のアタッチメント仮支持クリートを示し、（ａ）は正面相当図、（ｂ）は側面相当図である。
【図７】同アタッチメントの接続作業の説明図である。
【符号の説明】
【００３０】
１…取付板、２…アタッチメント、２ａ…ケーブル、３…仮支持部材、４…高圧カットアウト、５…アーム、６…掛止部材、７…絶縁作業棒、８…接続部材、９…ネジ棒、１０…座板、１１…抜け止め部材、１２…スプリングワッシャ、１３…ケーブル支持ロープ、１４…取付孔、１５…凹部、１６…位置決め部材
【図１】
2006318720.tif 000003
【図２】
2006318720.tif 000004
【図３】
2006318720.tif 000005
【図４】
2006318720.tif 000006
【図５】
2006318720.tif 000007
【図６】
2006318720.tif 000008
【図７】
2006318720.tif 000009